(57)【要約】【課題】本発明はトレーを駆動するモータの起動、停止、反転等の制御を安価構成で行えることを課題とする。【解決手段】操作者が、イジェクト操作スイッチ３８を押圧操作すると、モータ駆動回路８８では、イジェクト操作スイッチ３８の可動接片３８ａがオンに切り替わり、可動接片３８ａ及びモータ反転スイッチ８４の可動接片８４ａ，８４ｂを介してトレー駆動モータ２６と電源９０との間が導通されてトレー駆動モータ２６への通電が開始される。そして、トレー１８の移動によって、第１の検出スイッチ８２または第２の検出スイッチ８６がオフになると、トレー駆動モータ２６への通電を停止させる。そのため、マイクロコンピュータを使用せずにモータの起動、停止を制御することが可能になり、製造コストを安価に抑えることが可能になる。【選択図】　　　　図２１
2004030791.tif 000002
【特許請求の範囲】
【請求項１】
記録メディアが載置されるトレーと、
該トレーを前記メディア交換位置またはメディア装着位置に搬送する搬送機構と、
前記搬送機構を介して前記トレーに駆動力を伝達する駆動モータと、
前記所定位置に移動した前記トレーに当接するストッパと、
前記トレーが前記メディア交換位置またはメディア装着位置に到着する直前の位置に移動したことを検出する検出スイッチと、
該検出スイッチの検出動作により前記駆動モータを停止された後、前記駆動モータへ通電する電流の極性を反転させる反転スイッチと、
を備えたことを特徴とする記録メディア装置。
【請求項２】
記録メディアが載置されるトレーと、
該トレーをメディア交換位置またはメディア装着位置に搬送する搬送機構と、
前記搬送機構を介して前記トレーに駆動力を伝達する駆動モータと、
前記トレーが前記メディア交換位置の直前位置に到着したことを検出すると共に、前記駆動モータへの通電を停止させる第１の検出スイッチと、
前記トレーが前記メディア装着位置の直前位置に到着したことを検出すると共に、前記駆動モータへの通電を停止させる第２の検出スイッチと、
前記トレーが前記メディア交換位置またはメディア装着位置に到着したときに前記駆動モータへ通電する電流の極性を反転させる反転スイッチと、
を備えたことを特徴とする記録メディア装置。
【請求項３】
前記反転スイッチは、前記トレーに当接して反転動作するように切り替わることを特徴とする請求項１または２記載の記録メディア装置。
【請求項４】
前記検出スイッチ及び前記反転スイッチは、前記駆動モータと電源との間で直列に接続されたことを特徴とする請求項１記載の記録メディア装置。
【請求項５】
前記反転スイッチは、
前記駆動モータの一方の電極に接続された第１の反転スイッチと、
前記駆動モータの他方の電極に接続された第２の反転スイッチと、
を有し、前記第１の反転スイッチが電源の＋側端子または−側端子の何れか一方に接続されるように切り替わるのと共に、前記第２の反転スイッチが電源の＋側端子または−側端子の何れか他方に接続されるように切り替わることを特徴とする請求項１または２記載の何れかの記録メディア装置。
【発明の詳細な説明】
【０００１】
【発明の属する技術分野】
本発明は記録メディア装置に係り、特に、挿入方向の先端側にコネクタを有する記録メディアをトレーに載置して装着される記録メディア装置に関する。
【０００２】
【従来の技術】
従来の記録メディア装置としては、例えば、カートリッジの端部にコネクタを備えた記録メディアが手動操作で挿入されると、記録メディアの可動側コネクタが装置内に設けられた固定側コネクタに接続されるように構成されている。
【０００３】
また、この種の記録メディア装置は、フロントベゼルに記録メディアが挿入される挿入口を有し、この挿入口の奥部に固定側コネクタを有する。そして、記録メディアの装着操作は、操作者が記録メディアを挿入口から装置内部に押し込むように挿入することで、記録メディアの挿入が完了する。
【０００４】
また、記録メディア装置に装着された記録メディアをイジェクトする際は、挿入口からはみ出した記録メディアの後端部を把持して記録メディアを引き抜くことで記録メディアをイジェクトする。
【０００５】
しかしながら、従来の記録メディア装置では、記録メディアを装着した状態で記録メディアの後端部が前面ベゼルの挿入口から突出しているため、例えば、記録メディアに情報を書き込んでいる途中でも誤って記録メディアを引き抜くことが可能であり、コンピュータが記録メディアにアクセスして情報の書き込みまたは読み込みを行っている途中で、記録メディアが記録メディア装置から引き抜かれるおそれがあった。
【０００６】
さらに、従来の記録メディア装置においては、記録メディアの後部が挿入口から突出した状態で保持されるため、記録メディアのカートリッジと挿入口との間の隙間から塵埃が装置内に侵入するといった問題もあった。
【０００７】
また、挿入口が突出した記録メディアの後端部に他の機器や操作者の手が誤って接触する可能性があり、その場合外部からの衝撃により情報の書き込みまたは読み込み動作が阻害されるおそれがある。
【０００８】
このような問題を解消するためトレーに記録メディアを載置して搬送することで記録メディアを装着したり、あるいは装着された記録メディアをトレーと共にイジェクトする構成が考えられている。
【０００９】
また、トレーを移動させて記録メディアを装着またはイジェクトする装置としては、例えば、ＣＤ−ＲＯＭ装置がある。この種の装置では、トレーの側面にラックが形成され、ラックに噛合するピニオンをモータで駆動することによりトレーを移動させて記録メディアの装着またはイジェクトを行えるように構成されている。また、トレーがメディア交換位置またはメディア装着位置に到着すると、各位置に設けられたストッパがトレーに当接してトレーの停止位置を位置決めする構成になっている。
【００１０】
【発明が解決しようとする課題】
しかしながら、従来の記録メディア装置では、トレーがメディア交換位置またはメディア装着位置に到着するまでラックとピニオンからなる搬送機構を介してモータの回転駆動力を伝達する構成であるので、例えば、トレーがメディア交換位置またはメディア装着位置に移動してストッパに当接すると、トレー位置検出スイッチがオンになってモータを停止させるように構成されている。
【００１１】
このように、従来は、トレーの移動位置を検出する検出スイッチからの検出信号がモータ制御を行うマイクロコンピュータ（ＣＰＵ）に入力されると、マイクロコンピュータから出力された制御信号に基づいてモータの起動、停止を制御するように構成されているため、検出スイッチだけでなくモータ制御用のソフトウエアの開発、及びマイクロコンピュータを用意する必要があるので、製造コストが高価になるという問題があった。
【００１２】
そこで、本発明は、上記課題を解決した記録メディア装置を提供することを目的とする。
【００１３】
【課題を解決するための手段】
本発明は上記課題を解決するため、以下のような特徴を有する。
【００１４】
上記請求項１記載の発明は、記録メディアが載置されるトレーと、トレーをメディア交換位置またはメディア装着位置に搬送する搬送機構と、搬送機構を介してトレーに駆動力を伝達する駆動モータと、所定位置に移動したトレーに当接するストッパと、トレーがメディア交換位置またはメディア装着位置に到着する直前の位置に移動したことを検出する検出スイッチと、検出スイッチの検出動作により駆動モータを停止された後、駆動モータへ通電する電流の極性を反転させる反転スイッチと、を備えたものであり、マイクロコンピュータを使用せずにモータの起動，停止を制御することが可能になり、製造コストを安価に抑えることが可能になる。
【００１５】
また、請求項２記載の発明は、記録メディアが載置されるトレーと、トレーをメディア交換位置またはメディア装着位置に搬送する搬送機構と、搬送機構を介してトレーに駆動力を伝達する駆動モータと、トレーがメディア交換位置の直前位置に到着したことを検出すると共に、駆動モータへの通電を停止させる第１の検出スイッチと、トレーがメディア装着位置の直前位置に到着したことを検出すると共に、駆動モータへの通電を停止させる第２の検出スイッチと、トレーがメディア交換位置またはメディア装着位置に到着したときに駆動モータへ通電する電流の極性を反転させる反転スイッチと、を備えたものであり、マイクロコンピュータを使用せずにモータの起動，停止を制御することが可能になり、製造コストを安価に抑えることが可能になる。
【００１６】
また、請求項３記載の発明は、反転スイッチがトレーに当接して反転動作するように切り替わるものであり、安価な構成でトレーがメディア交換位置またはメディア装着位置に到着した後のモータの回転方向を自動的に反転させることが可能になる。
【００１７】
また、請求項４記載の発明は、検出スイッチ及び反転スイッチが駆動モータと電源との間で直列に接続されているので、安価な検出スイッチ及び反転スイッチが直接モータの起動、停止、回転方向を制御することが可能になる。
【００１８】
また、請求項５記載の発明は、反転スイッチが駆動モータの一方の電極に接続された第１の反転スイッチと、駆動モータの他方の電極に接続された第２の反転スイッチと、を有し、第１の反転スイッチが電源の＋側端子または−側端子の何れか一方に接続されるように切り替わるのと共に、第２の反転スイッチが電源の＋側端子または−側端子の何れか他方に接続されるように切り替わるものであり、マイクロコンピュータを使用せずにモータの起動，停止を制御することが可能になり、製造コストを安価に抑えることが可能になる。
【００１９】
【発明の実施の形態】
以下、図面と共に本発明の一実施例について説明する。
図１は本発明になる記録メディア装置の一実施例を示す斜視図である。図２は本発明になる記録メディア装置の一実施例を右斜め後方からみた斜視図である。図３は本発明になる記録メディア装置の一実施例を左斜め後方からみた斜視図である。図４は記録メディア装置の構成を示す図であり、（Ａ）は平面図、（Ｂ）は側面図、（Ｃ）は正面図である。
図１乃至図４に示されるように、記録メディア装置１０は、メインシャーシ１２の前端に前面ベゼル１４が結合され、前面ベゼル１４の挿入口１６を通過して前後方向（Ａ，Ｂ方向）に移動するトレー１８を有する。
【００２０】
トレー１８は、メインシャーシ１２の内部に形成された空間２０に挿入されたメディア装着位置に保持された状態にあり、メインシャーシ１２の左側に配置されたトレー搬送機構２２により前後方向（Ａ，Ｂ方向）に搬送される。トレー搬送機構２２は、メインシャーシ１２の側方に結合されたブラケット２４に支持されており、ブラケット２４の背面に取り付けられたトレー駆動モータ（駆動部）２６に駆動される。
【００２１】
このように、記録メディア装置１０は、メインシャーシ１２の左側にトレー搬送機構２２及びトレー駆動モータ２６に配置されているので、装置の薄型化が図られている。
【００２２】
メインシャーシ１２は、上記空間２０の上方を覆うように形成された上シャーシ２８と、上記空間２０の下方を覆うように形成された下シャーシ３０とから構成されている。また、上シャーシ２８と下シャーシ３０との間は、複数の支柱３２が介在しており、トレー１８の上下面に接触しないように高さ方向の間隔が規制されている。
【００２３】
下シャーシ３０には、挿入口１６に対向する位置に固定側コネクタ３４が取り付けられている。この固定側コネクタ３４は、前後方向（Ａ，Ｂ方向）に延在するコンタクトピン３４ａを有するため、記録メディア３５（図５参照）がＡ方向から結合され、記録メディアをＢ方向へ移動させて結合が解除される。
【００２４】
尚、本実施例の記録メディアとしては、例えば、内部に磁気ディスク及び磁気ヘッド、ヘッドアーム、アーム駆動用アクチュエータなどが収納された磁気ディスク装置が用いられる。
【００２５】
上シャーシ２８には、Ａ方向に延在する一対の押圧アーム（押圧部）３６が設けられている。この押圧アーム３６は、トレー１８に載置された記録メディア３５（図５参照）の上面を押圧してがたつきの無い状態に保持する。
【００２６】
前面ベゼル１４には、上記挿入口１６と、イジェクト時に押圧操作されるイジェクト操作スイッチ３８と、停電時などのモータ駆動できないときに手動操作でトレー１８をイジェクト動作させるエマジェンシー操作用孔４０とが設けられている。
【００２７】
メインシャーシ１２の右側には、エマジェンシー操作用孔４０から挿入された針金等のワイヤ部材により押圧操作されてトレー１８をイジェクト方向（Ｂ方向）へ移動させるエマジェンシー機構４２が設けられている。
【００２８】
図５は記録メディアの構成を示す図であり、（Ａ）は正面図、（Ｂ）は平面図、（Ｃ）は側面図である。
図５（Ａ）〜（Ｃ）に示されるように、記録メディア３５は、上記固定側コネクタ３４に結合される可動側コネクタ３５ａを前面（挿入側端面）に有する。
【００２９】
また、記録メディア３５は、左右側面の挿入側に固定側コネクタ３４に対する高さ方向（Ｅ，Ｆ方向）の位置を規制される掛止溝３５ｂ，３５ｃが設けられている。この掛止溝３５ｂ，３５ｃは、前面（挿入側端面）に開口し、且つトレー１８の移動方向（Ａ，Ｂ方向）に延在するように形成されている。
【００３０】
さらに、記録メディア３５の左右側面には、トレー１８の移動方向（Ａ，Ｂ方向）の位置を規制する一対の掛止溝３５ｄ，３５ｅが設けられている。一方の掛止溝３５ｄは、Ａ，Ｂ方向の中間位置に設けられ、他方の掛止溝３５ｅは、左右側面の後部側に位置するように設けられている。
【００３１】
また、掛止溝３５ｄ，３５ｅは、記録メディア３５の下面側に開口し、左右側面の途中高さまでＺ方向に延在形成されている。そのため、記録メディア３５は、左右側面に形成された掛止溝３５ｂ，３５ｃ及び掛止溝３５ｄ，３５ｅによって装着方向が規制され、可動側コネクタ３５ａが確実に固定側コネクタ３４に結合される。
【００３２】
図６は記録メディア装置１０を前方底面側からみた斜視図である。図７は記録メディア装置１０を後方底面側からみた斜視図である。
図６及び図７に示されるように、記録メディア装置１０の底面側となる下シャーシ３０の下面には、トレー１８のメディア装着位置や挿入操作を検出するための検出スイッチ（隠れて見えない）が設けられた基板４４が取り付けられている。また、下シャーシ３０の下面には、エマジェンシー機構４２の回動アーム４６が回動可能に設けられている。
【００３３】
この回動アーム４６は、メインシャーシ１２の右側でＡ，Ｂ方向に延在するロッド４８の先端に連結されており、ロッド４８がエマジェンシー操作用孔４０から挿入された針金等のワイヤ部材により押圧操作されると、回動動作してトレー１８をイジェクト方向（Ｂ方向）へ所定距離押し出す。これにより、固定側コネクタ３４に結合された記録メディア３５の可動側コネクタ３５ａを離間方向（Ｂ方向）に移動させて結合を解除する。そのため、操作者は、手動でトレー１８を引き出すことが可能になる。
【００３４】
図８は記録メディア装置１０からトレー１８をメディア交換位置に移動させた状態を上方からみた斜視図である。
図８に示されるように、トレー１８は、前面ベゼル１４の挿入口１６から突出するようにメディア交換位置に移動されると、記録メディア３５が挿入されるメディア収納部５０を露出させた状態となる。
【００３５】
メディア収納部（メディア保持部）５０には、記録メディア３５が載置される載置面５２〜５４がＡ，Ｂ方向に延在するように突出形成されている。また、メディア収納部５０の左右側面には、記録メディア３５の挿入方向を規制すると共に、記録メディア３５を掛止する一対の突起５６，５７が設けられている。
【００３６】
突起５６，５７は、記録メディア３５の左右側面底部に設けられた掛止溝３５ｄ，３５ｅに嵌合することで記録メディア３５の挿入を許容すると共に、トレー１８のメディア収納部５０に挿入された記録メディア３５のＡ，Ｂ方向への位置ズレを規制する。
【００３７】
この突起５６，５７に対応する凹部を有する記録メディア３５のみが挿入された場合のみ記録メディア３５の装着が可能になる。また、突起５６，５７が記録メディア３５の左右側面の下側を掛止するように形成され、且つ中心部と後部に位置するように形成されているので、記録メディア３５の向き（挿入方向）も規制している。
【００３８】
また、トレー１８は、挿入されたメディアの取り出しを容易にするための円弧状凹部５８，５９が左右側面に設けられている。また、トレー１８の前面には、挿入口１６を閉塞する蓋部６４が設けられている。
【００３９】
図９は記録メディア装置１０からトレー１８をメディア交換位置に移動させた状態を下方からみた斜視図である。図１０は下シャーシ３０の上面に配置された構成を示す斜視図である。図１１は搬送機構２２を示す斜視図である。
図９及び図１０に示されるように、トレー１８の下面には、Ａ，Ｂ方向に延在するラック６０と、Ａ，Ｂ方向に延在するスライドバー６２とが締結されている。スライドバー６２は、ラック６０との間にトレー１８の移動方向をガイドするガイド溝６６を形成すると共に、後述する先端側にトレー１８がメディア装着位置の直前位置に移動したことを検出するための第１の検出スイッチ８２を作動させるための第１の凹部６８が設けられている。さらに、スライドバー６２のＡ，Ｂ方向の端部には、後述するモータ反転スイッチ８４を作動させるための突部７０が設けられている。
【００４０】
また、スライドバー６２の後端側には、後述するトレー１８がメディア交換位置の直前位置に移動したことを検出するための第２の検出スイッチ８６を作動させるための第２の凹部７２が設けられている。そして、モータ反転スイッチ８４は、トレー１８がメディア装着位置及びメディア交換位置に到着したとき、トレー駆動モータ２６の極性を反転させるように作動する。そのため、モータ反転スイッチ８４は、第１の検出スイッチ８２、第２の検出スイッチ８６がオンからオフに切り替わった後、僅かに遅れて反転動作することになる。
【００４１】
ラック６０は、トレー搬送機構２２のピニオン７４に噛合しており、ピニオン７４の回転方向に応じてＡ方向またはＢ方向へ移動する。ピニオン７４は、図１１に示されるように、トレー搬送機構２２の複数のギヤ７６ａ〜７６ｄを介してモータ２６の回転力が伝達される。
【００４２】
そして、上記ガイド溝６６には、下シャーシ３０の上面に固定されたガイドプレート７８が嵌合する。これにより、トレー１８は、ピニオン７４の回転力がラック６０に伝達することで、ガイドプレート７８にガイドされながらＡ，Ｂ方向に安定的に移動する。
【００４３】
また、下シャーシ３０は、固定側コネクタ３４の左右側部に、記録メディア３５の左右方向のメディア交換位置をガイドするメディアガイド部材８０，８１が設けられており、メディアガイド部材８０，８１の内側面には記録メディア３５の高さ位置を規制する規制部８０ａ，８１ａ（但し、規制部８０ａは隠れて見えない）が設けられている。
【００４４】
規制部８０ａ，８１ａは、メディア収納部５０に挿入された記録メディア３５の左右側面の掛止溝３５ｄ，３５ｅに嵌合して、メディア収納部５０に挿入された記録メディア３５の可動側コネクタ３５ａを固定側コネクタ３４に対向する位置に導く。
【００４５】
これにより、メディア収納部５０に挿入された記録メディア３５は、トレー１８がメディア装着位置へ移動する過程で可動側コネクタ３５ａを固定側コネクタ３４に確実に結合することが可能になる。
【００４６】
図１２は下シャーシ３０に設けられた各部材の配置例を示す斜視図である。
図１２に示されるように、下シャーシ３０には、上記トレー搬送機構２２、固定側コネクタ３４、エマジェンシー機構４２、ガイドプレート７８、メディアガイド部材８０，８１の他にトレー１８の位置を検出する第１の検出スイッチ８２、モータ反転スイッチ８４と、第２の検出スイッチ８６とが開口３０ａから上方に突出している。また、第１の検出スイッチ８２、モータ反転スイッチ８４、第２の検出スイッチ８６は、基板４４に半田付けされている。
【００４７】
図１３はトレー１８を外した状態を示す斜視図である。
図１３に示されるように、ラック６０に噛合するピニオン７４は、クラッチ部材（押圧力付与手段）７５と一体的に設けられている。このクラッチ部材７５は、所謂クラッチギヤと呼ばれており、外周にギヤ７６ｄに噛合するギヤ７５ａを有し、内部には所定以上のトルクまたは負荷が入力されるとすべり動作を行うクラッチ機構（図示せず）が設けられている。従って、クラッチ部材７５は、トレー１８が移動している過程では、モータ２６からの回転駆動力をピニオン７４に伝達し、トレー１８が後述するストッパに当接して停止すると、内部のクラッチ機構が滑り動作してラック６０やピニオン７４及び駆動モータ２６のロータに過大な力が作用することを防止する。尚、このクラッチ機構は、周知の技術であるので、ここではその説明を省略する。
【００４８】
また、下シャーシ３０の上面には、トレー１８をメディア装着位置に位置決めするための第１のストッパ７７と、トレー１８をメディア交換位置に位置決めするための第２のストッパ７９と、が設けられている。第１のストッパ７７は、円柱状に形成されており、下シャーシ３０の上面奥部に起立している。また、第２のストッパ７９は、上方からみるとＬ字状に形成されており、トレー１８の両側からトレー１８をメディア交換位置に係止するように設けられている。そのため、トレー１８の停止位置は、最終的に第１のストッパ７７及び第２のストッパ７９に当接することで決まる。
【００４９】
図１４はトレー１８が第１のストッパ７７に当接した状態を示す斜視図である。図１５はトレー１８が第１のストッパ７７に当接した状態を示す平面図である。
図１４及び図１５に示されるように、トレー１８の挿入側端部には、第１のストッパ７７に対向する位置に切欠き１８ａが設けられている。そして、トレー１８は、Ａ方向に移動して切欠き１８ａが第１のストッパ７７に当接することでメディア装着位置に位置決めされる。
【００５０】
図１６はトレー１８が第２のストッパ７９に当接した状態を示す平面図である。図１７はトレー１８が第２のストッパ７９に当接した状態を左斜め方向からみた斜視図である。図１８はトレー１８が第２のストッパ７９に当接した状態を右斜め方向からみた斜視図である。図１９はトレー駆動モータ２６及び各スイッチとの接続関係を示す回路図である。
図１６乃至図１８に示されるように、トレー１８の左右側面１８ｂ，１８ｃには、第２のストッパ７９の鉤型に形成された係止部７９ｂに対向する位置に突部１８ｄ，１８ｅが設けられている。そして、トレー１８は、Ｂ方向に移動して左右側面１８ｂ，１８ｃの突部１８ｄ，１８ｅが第２のストッパ７９の係止部７９ｂに係止されてメディア交換位置に位置決めされる。
【００５１】
図１９に示されるように、第１の検出スイッチ８２、モータ反転スイッチ８４、第２の検出スイッチ８６は、トレー駆動モータ２６への通電を制御するモータ駆動回路（モータ制御手段）８８に接続されている。尚、モータ反転スイッチ８４は、トレー１８の移動に応じてトレー駆動モータ２６の極性を反転させるスイッチであり、本実施例では一対のスライドスイッチを組み合わせた構成になっている。
【００５２】
第１の検出スイッチ８２は、図１０、図１２に示されるように、スライドバー６２の第１の凹部６８が通過する位置に設けられている。そのため、第１の検出スイッチ８２は、トレー１８がメディア装着位置（図１参照）に至ると、第１の凹部６８が可動接片８２ａに対向する位置に移動し、可動接片８２ａが起立状態となってオフになり、トレー１８がメディア装着位置からＢ方向へ移動する過程は可動接片８２ａが傾斜されてオンになる。
【００５３】
第２の検出スイッチ８６は、スライドバー６２の第２の凹部７２が通過する位置に設けられている。そのため、第２の検出スイッチ８６は、トレー１８がメディア交換位置（図８、図９参照）に至ると、第２の凹部７２が可動接片８６ａに対向する位置に移動し、可動接片８６ａが起立状態となってオフになり、トレー１８がメディア交換位置からＡ方向へ移動する過程は可動接片８６ａが傾斜されてオンになる。
【００５４】
従って、第１の検出スイッチ８２と第２の検出スイッチ８６とのオン・オフの組み合わせによってトレー１８の位置を判別することが可能になる。また、モータ反転スイッチ８４は、トレー１８の移動によりスライドバー６２に設けられた突部７０が通過する位置に設けられている。
【００５５】
モータ反転スイッチ８４は、突部７０が通過する度に可動接片８４ａ，８４ｂがトレー移動方向に押圧される。そして、モータ駆動回路８８は、モータ反転スイッチ８４から可動接片８４ａ，８４ｂの作動に応じた信号からトレー駆動モータ２６へ供給される電源の極性を反転させる。
【００５６】
これにより、トレー駆動モータ２６の回転駆動方向は、トレー１８がメディア装着位置からメディア交換位置へ移動したトレー引出し動作完了後のときと、トレー１８がメディア交換位置からメディア装着位置へ移動したトレー挿入動作完了後のときとで反転される。
【００５７】
ここで、図２０（Ａ）〜（Ｅ）に示すタイミングチャートを参照して上記のように構成された記録メディア装置１０の記録メディア装着動作について説明する。
【００５８】
記録メディア装置１０に記録メディア３５を装着するときは、まず、イジェクト操作スイッチ３８を押圧操作されてオン（Ｐ１）になる（図２０（Ａ）参照）。これにより、モータ駆動回路８８は、トレー駆動モータ２６を回転駆動させる（図２０（Ｅ）参照）。
【００５９】
よって、トレー１８は、トレー搬送機構２２の複数のギヤ７６ａ〜７６ｄ及びを介してトレー駆動モータ２６の回転力がピニオン７４に伝達されると共に、モータ駆動力によりラック６０が駆動されてＢ方向へ移動する。そして、トレー１８は、ガイド溝６６に嵌合するガイドプレート７８にガイドされながらスムーズにＢ方向へ移動する。
【００６０】
トレー１８がメディア装着位置（図１参照）からメディア交換位置の直前位置（図８、図９参照）へ移動すると、上記第１の検出スイッチ８２がオンのまま第２の検出スイッチ８６がオフになるので（図２０（Ｂ）（Ｄ）参照）、モータ駆動回路８８は、トレー駆動モータ２６への通電を停止して回転駆動を停止させる（図２０（Ｅ）参照）。
【００６１】
その後、トレー１８は、慣性によりメディア交換位置に移動する。そして、モータ停止後の慣性によりトレー１８がＢ方向に移動して左右側面１８ｂ，１８ｃの突部１８ｄ，１８ｅが第２のストッパ７９の係止部７９ｂに係止されてメディア交換位置に位置決めされる（図１６乃至図１８参照）。このとき、トレー１８は、第２のストッパ７９の係止部７９ｂに係止されて停止しているため、モータ２６によるロータの慣性力が残っている場合、クラッチ部材７５の内部で負荷が所定値以上に増大する。
【００６２】
そのため、クラッチ部材７５では、内部のクラッチ機構ですべり動作が生じるため、ピニオン７４に慣性力を伝達させないように作用する。これで、ラック６０に噛合したピニオン７４に過大な負荷が作用することを回避してラック６０及びピニオン７４の寿命を延ばすことが可能になる。
【００６３】
そして、トレー１８がメディア交換位置に到着した後、スライドバー６２の突部７０がモータ反転スイッチ８４の可動接片８４ａ，８４ｂを押圧して反転動作させる（図２０（Ｃ）参照）。
【００６４】
このように、トレー１８は第１のストッパ７７に当接してメディア交換位置に押圧された状態で位置決めされ、且つトレー１８を駆動する駆動系（ラック６０及びピニオン７４）及び駆動モータ２６のロータに過大な負荷が作用することが防止される。よって、トレー１８は、メディア収納部５０が前面ベゼル１４の挿入口１６から露出した状態に停止する。
【００６５】
次に操作者は、図４に示す記録メディア３５をトレー１８のメディア収納部５０に載置する。その際、トレー１８の左右側壁内面に突出する突起５６，５７が記録メディア３５の左右側面底部に設けられた掛止溝３５ｄ，３５ｅに嵌合する。
【００６６】
これにより、記録メディア３５は、挿入方向を規制されると共に、Ａ，Ｂ方向へのがたつきが防止される。
【００６７】
この後、イジェクト操作スイッチ３８を押圧してオン（Ｐ２）にしてトレー駆動モータ２６を反転方向に回転駆動させる。あるいは操作者がトレー１８を押圧して所定距離Ａ方向へ移動させることで、スライドバー６２の第１の凹部６８が第１の検出スイッチ８２の可動接片８２ａを押圧する。これにより、第１の検出スイッチ８２がオンのまま第２の検出スイッチ８６がオンになるので（図２０（Ｂ）（Ｄ）参照）、モータ駆動回路８８は、トレー駆動モータ２６への通電を再開して反転方向に回転駆動させる（図２０（Ｅ）参照）。
【００６８】
そのため、ラック６０に噛合するピニオン７４が反対方向に回転駆動されてトレー１８をＡ方向へ駆動する。そして、トレー１８は、ガイド溝６６に嵌合するガイドプレート７８にガイドされながらスムーズにＡ方向へ移動する。
【００６９】
トレー１８がメディア交換位置（図８、図９参照）からメディア装着位置（図１参照）の直前位置へ移動すると、スライドバー６２の第１の凹部６８が第１の検出スイッチ８２の可動接片８２ａに対向する。そのため、上記第２の検出スイッチ８６がオンのまま第１の検出スイッチ８２がオフになるので（図２０（Ｂ）参照）、モータ駆動回路８８は、トレー駆動モータ２６への通電を停止して回転駆動を停止させる（図２０（Ｅ）参照）。
【００７０】
その後、トレー１８は、慣性によりメディア装着位置に移動する。そして、モータ停止後の慣性によりトレー１８がＢ方向に移動して切欠き１８ａが第１のストッパ７７に当接することでメディア装着位置に位置決めされる（図１４，図１５参照）。このとき、トレー１８は、第１のストッパ７７に当接して停止しているため、モータ２６によるロータの慣性力が残っている場合、クラッチ部材７５の内部で負荷が所定値以上に増大する。
【００７１】
そのため、クラッチ部材７５では、内部のクラッチ機構ですべり動作が生じるため、ピニオン７４に慣性力を伝達させないように作用する。これで、ラック６０に噛合したピニオン７４に過大な負荷が作用することを回避してラック６０及びピニオン７４の寿命を延ばすことが可能になる。
【００７２】
そして、トレー１８がメディア装着位置に到着した後、スライドバー６２の突部７０がモータ反転スイッチ８４の可動接片８４ａ，８４ｂを押圧して反転動作させる（図２０（Ｃ）参照）。
【００７３】
このように、トレー１８は第２のストッパ７９に係止されてメディア装着位置に押圧された状態で位置決めされ、且つトレー１８を駆動する駆動系（ラック６０及びピニオン７４）及び駆動モータ２６のロータに過大な負荷が作用することが防止される。よって、トレー１８は、メディア収納部５０が前面ベゼル１４の挿入口１６に収納された状態に停止する。
【００７４】
また、上記のようにトレー１８がメディア装着位置に移動する過程でメディア収納部５０に収納された記録メディア３５は、トレー１８がメディア装着位置に到着する直前に左右側面がメディアガイド部材８０，８１の内側面に摺動して左右方向（Ｃ，Ｄ方向）の位置が規制され、その後メディアガイド部材８０，８１の規制部８０ａ，８１ａが記録メディア３５の左右側面の掛止溝３５ｄ，３５ｅに嵌合する。
【００７５】
これにより、メディア収納部５０に挿入された記録メディア３５は、可動側コネクタ３５ａを固定側コネクタ３４に対向する位置に導かれる。そして、トレー１８が第２のストッパ７９に係止されてメディア装着位置に至る過程で可動側コネクタ３５ａが固定側コネクタ３４に結合されて通信可能に接続される。そのため、トレー１８がメディア装着位置に到着した時点では、可動側コネクタ３５ａの固定側コネクタ３４に対する結合が完了する。
【００７６】
これで、記録メディア３５は、コンピュータ（図示せず）からの制御信号により情報の書き込み、あるいは情報の読み出しを行うことが可能になる。
【００７７】
そして、再び、イジェクト操作スイッチ３８が押圧操作されてオンになると、トレー１８がＢ方向に移動する。そのため、トレー１８のメディア収納部５０に収納された記録メディア３５は、トレー１８の移動と共に、可動側コネクタ３５ａが固定側コネクタ３４から離間してメディア交換位置へイジェクトされる（図８参照）。これで、記録メディア３５の交換操作が行える。
【００７８】
このように、トレー１８のＡ，Ｂ方向への移動により記録メディア３５の装着、イジェクト動作が自動的に行われると共に、可動側コネクタ３５ａが固定側コネクタ３４に確実に結合され、且つイジェクト操作時には可動側コネクタ３５ａを固定側コネクタ３４から離間させることができるので、記録メディア３５の装着、イジェクト操作が容易に行える。
【００７９】
ここで、モータ駆動回路８８の詳細な構成について図２１乃至図２７を参照して説明する。
【００８０】
図２１に示されるように、モータ駆動回路８８は、イジェクト操作スイッチ３８（可動接片３８ａを有する）と、第１の検出スイッチ８２と、モータ反転スイッチ８４（一対の可動接片８４ａ，８４ｂを有する）と、第２の検出スイッチ８６との接続関係によって構成されている。
【００８１】
すなわち、モータ駆動回路８８においては、第１の検出スイッチ８２と第２の検出スイッチ８６とモータ反転スイッチ８４の一方の可動接片８４ａとが直列に接続され、イジェクト操作スイッチ３８が第１の検出スイッチ８２及び第２の検出スイッチ８６と並列に接続されている。そのため、第１の検出スイッチ８２及び第２の検出スイッチ８６及びイジェクト操作スイッチ３８は、モータ反転スイッチ８４の一方の可動接片８４ａを介して電源９０と接続される。そして、モータ反転スイッチ８４の他方の可動接片８４ｂは、トレー駆動モータ２６と電源９０との間を直接接続するように設けられている。
【００８２】
このように、モータ駆動回路８８は、マイクロコンピュータを使用せずに複数のスイッチの組み合わせによって構成されているので、高価なソフトウエアやマイクロコンピュータを用意する必要がなく、安価に製作することが可能である。
【００８３】
また、可動接片３８ａは、前面ベゼル１４に設けられたイジェクト操作スイッチ３８が押圧操作されたときに閉成（オン）するように構成されたスイッチ機構である。
【００８４】
また、モータ反転スイッチ８４は、一対の可動接片８４ａ，８４ｂを組み合わせた構成であり、可動接片８４ａ，８４ｂのうち一方が電源９０の＋側端子に接続されたａ端子とｃ端子とを導通し、他方が電源９０の−側端子に接続されたｂ端子とｃ端子とを導通するように切り替わる。また、トレー１８の移動により可動接片８４ａ，８４ｂのうち他方が電源９０の＋側端子に接続されたａ端子とｃ端子とを導通した場合には、一方が電源９０の−側端子に接続されたｂ端子とｃ端子とを導通するように切り替わる。
【００８５】
尚、上記第１の検出スイッチ８２は、トレー１８がメディア装着位置の直前位置に移動したとき、可動接片８２ａがスライドバー６２の第１の凹部６８に対向するため、オンからオフに切り替わる。また、第２の検出スイッチ８６は、トレー１８がメディア交換位置の直前位置に移動したとき、可動接片８６ａがスライドバー６２の第２の凹部７２に対向するため、オンからオフに切り替わる。
【００８６】
ここで、上記のように構成されたモータ駆動回路８８の作用について説明する。
図２１に示すモータ駆動回路８８は、トレー１８がメディア装着位置（図１乃至図４を参照）に移動したときの動作状態を示しており、イジェクト操作スイッチ３８及び第１の検出スイッチ８２がオフ、第２の検出スイッチ８６がオンになっている。
【００８７】
トレー１８をメディア装着位置からメディア交換位置へ移動させる場合、操作者は、前面ベゼル１４に設けられたイジェクト操作スイッチ３８を押圧操作する。これにより、モータ駆動回路８８では、図２２に示されるように、イジェクト操作スイッチ３８の可動接片３８ａがオンに切り替わり、可動接片３８ａ及びモータ反転スイッチ８４の可動接片８４ａ，８４ｂを介してトレー駆動モータ２６と電源９０との間が導通されてトレー駆動モータ２６への通電が開始される。
【００８８】
そのため、トレー１８は、トレー駆動モータ２６の回転駆動力によりイジェクト方向に移動する。トレー１８がメディア装着位置からイジェクト方向に移動し始めると、イジェクト操作スイッチ３８の押圧解除により可動接片３８ａがオフに切り替わると共に、第１の検出スイッチ８２の可動接片８２ａがトレー１８の下面に押圧されてオンに切り替わる。
【００８９】
図２３に示されるように、トレー１８がメディア装着位置からイジェクト方向に移動し始めると、第１の検出スイッチ８２及び第２の検出スイッチ８６がオンになるため、トレー駆動モータ２６への通電が維持される。
【００９０】
図２４に示されるように、トレー１８がメディア交換位置の直前位置に到着すると、スライドバー６２の第２の凹部７２に第２の検出スイッチ８６が位置するため、第２の検出スイッチ８６はトレー１８がメディア交換位置の直前位置に移動したとき、オンからオフに切り替わる。これにより、トレー駆動モータ２６への通電が停止され、トレー駆動モータ２６によるトレー１８の駆動が停止する。
【００９１】
その後、トレー１８は、慣性によりメディア交換位置に移動する。そして、モータ停止後の慣性によりトレー１８がＢ方向に移動して左右側面１８ｂ，１８ｃの突部１８ｄ，１８ｅが第２のストッパ７９の係止部７９ｂに係止されてメディア交換位置に位置決めされる（図１６乃至図１８参照）。
【００９２】
図２５に示されるように、トレー１８がメディア交換位置に到着した後、スライドバー６２の突部７０がモータ反転スイッチ８４の可動接片８４ａ，８４ｂを押圧して反転動作させ、可動接片８４ａがｃ端子とｂ端子を導通し、可動接片８４ｂがｃ端子とａ端子とを導通するように切り替わる。
【００９３】
次に、トレー１８をメディア交換位置からメディア装着位置へ移動させる場合の動作について説明する。この場合、操作者は、図２６に示されるように、イジェクト操作スイッチ３８を押圧して可動接片３８ａをオンにするか、あるいはトレー１８を押圧して所定距離Ａ方向へ移動させる。
【００９４】
図２７に示されるように、これにより、トレー１８の移動開始によりスライドバー６２の第１の凹部６８が第１の検出スイッチ８２の可動接片８２ａを押圧するため、第１の検出スイッチ８２がオンのまま第２の検出スイッチ８６がオンになるので、モータ駆動回路８８は、トレー駆動モータ２６への通電を再開して反転方向に回転駆動させる。
【００９５】
そのため、ラック６０に噛合するピニオン７４が反対方向に回転駆動されてトレー１８をＡ方向へ駆動する。
【００９６】
トレー１８がメディア交換位置（図８、図９参照）からメディア装着位置（図１参照）の直前位置へ移動すると、図２１に示されるように、スライドバー６２の第１の凹部６８が第１の検出スイッチ８２の可動接片８２ａに対向する。そのため、上記第２の検出スイッチ８６がオンのまま第１の検出スイッチ８２がオフになるので、トレー駆動モータ２６への通電を停止して回転駆動を停止させる。
【００９７】
その後、トレー１８は、慣性によりメディア装着位置に移動する。そして、モータ停止後の慣性によりトレー１８がＢ方向に移動して切欠き１８ａが第１のストッパ７７に当接することでメディア装着位置に位置決めされる（図１４，図１５参照）。
【００９８】
そして、トレー１８がメディア装着位置に到着した後、スライドバー６２の突部７０がモータ反転スイッチ８４の可動接片８４ａ，８４ｂを押圧して反転動作させる。
【００９９】
尚、上記実施の形態では、図５（Ａ）〜（Ｃ）に示されるような形状の記録メディア３５を一例として挙げたが、これに限らず、これ以外の形状とされた記録メディアを装着する構成の装置にも本発明を適用できるのは勿論である。
【０１００】
【発明の効果】
上述の如く、請求項１記載の発明によれば、記録メディアが載置されるトレーと、トレーをメディア交換位置またはメディア装着位置に搬送する搬送機構と、搬送機構を介してトレーに駆動力を伝達する駆動モータと、所定位置に移動したトレーに当接するストッパと、トレーがメディア交換位置またはメディア装着位置に到着する直前の位置に移動したことを検出する検出スイッチと、検出スイッチの検出動作により駆動モータを停止された後、駆動モータへ通電する電流の極性を反転させる反転スイッチと、を備えたため、マイクロコンピュータを使用せずにモータの起動，停止を制御することが可能になり、製造コストを安価に抑えることが可能になる。
【０１０１】
また、請求項２記載の発明によれば、記録メディアが載置されるトレーと、トレーをメディア交換位置またはメディア装着位置に搬送する搬送機構と、搬送機構を介してトレーに駆動力を伝達する駆動モータと、トレーがメディア交換位置の直前位置に到着したことを検出すると共に、駆動モータへの通電を停止させる第１の検出スイッチと、トレーがメディア装着位置の直前位置に到着したことを検出すると共に、駆動モータへの通電を停止させる第２の検出スイッチと、トレーがメディア交換位置またはメディア装着位置に到着したときに駆動モータへ通電する電流の極性を反転させる反転スイッチと、を備えたため、マイクロコンピュータを使用せずにモータの起動，停止を制御することが可能になり、製造コストを安価に抑えることが可能になる。
【０１０２】
また、請求項３記載の発明によれば、反転スイッチがトレーに当接して反転動作するように切り替わるため、安価な構成でトレーがメディア交換位置またはメディア装着位置に到着した後のモータの回転方向を自動的に反転させることが可能になる。
【０１０３】
また、請求項４記載の発明によれば、検出スイッチ及び反転スイッチが駆動モータと電源との間で直列に接続されたため、安価な検出スイッチ及び反転スイッチが直接モータの起動、停止、回転方向を制御することが可能になる。
【０１０４】
また、請求項５記載の発明によれば、反転スイッチが駆動モータの一方の電極に接続された第１の反転スイッチと、駆動モータの他方の電極に接続された第２の反転スイッチと、を有し、第１の反転スイッチが電源の＋側端子または−側端子の何れか一方に接続されるように切り替わるのと共に、第２の反転スイッチが電源の＋側端子または−側端子の何れか他方に接続されるように切り替わるため、マイクロコンピュータを使用せずにモータの起動，停止を制御することが可能になり、製造コストを安価に抑えることが可能になる。
【図面の簡単な説明】
【図１】本発明になる記録メディア装置の一実施例を示す斜視図である。
【図２】本発明になる記録メディア装置の一実施例を右斜め後方からみた斜視図である。
【図３】本発明になる記録メディア装置の一実施例を左斜め後方からみた斜視図である。
【図４】記録メディア装置の構成を示す図であり、（Ａ）は平面図、（Ｂ）は側面図、（Ｃ）は正面図である。
【図５】記録メディアの構成を示す図であり、（Ａ）は正面図、（Ｂ）は平面図、（Ｃ）は側面図である。
【図６】記録メディア装置１０を前方底面側からみた斜視図である。
【図７】記録メディア装置１０を後方底面側からみた斜視図である。
【図８】記録メディア装置１０からトレー１８をメディア交換位置に移動させた状態を上方からみた斜視図である。
【図９】記録メディア装置１０からトレー１８をメディア交換位置に移動させた状態を下方からみた斜視図である。
【図１０】下シャーシ３０の上面に配置された構成を示す斜視図である。
【図１１】搬送機構２２の構成を示す斜視図である。
【図１２】下シャーシ３０に設けられた各部材の配置例を示す斜視図である。
【図１３】トレー１８を外した状態を示す斜視図である。
【図１４】トレー１８が第１のストッパ７７に当接した状態を示す斜視図である。
【図１５】トレー１８が第１のストッパ７７に当接した状態を示す平面図である。
【図１６】トレー１８が第２のストッパ７９に当接した状態を示す平面図である。
【図１７】トレー１８が第２のストッパ７９に当接した状態を左斜め方向からみた斜視図である。
【図１８】トレー１８が第２のストッパ７９に当接した状態を右斜め方向からみた斜視図である。
【図１９】トレー駆動モータ２６及び各スイッチとの接続関係を示す回路図である。
【図２０】イジェクト操作スイッチ３８、第１の検出スイッチ８２、モータ反転スイッチ８４、第２の検出スイッチ８６、トレー駆動モータ２６のオン・オフ動作を示すタミングチャートである。
【図２１】記録メディア挿入完了後のモータ駆動回路８８の切り替え動作を説明するための回路図である。
【図２２】記録メディアイジェクト開始時のモータ駆動回路８８の切り替え動作を説明するための回路図である。
【図２３】記録メディアイジェクト途中１のモータ駆動回路８８の切り替え動作を説明するための回路図である。
【図２４】記録メディアイジェクト途中２のモータ駆動回路８８の切り替え動作を説明するための回路図である。
【図２５】記録メディアイジェクト終了のモータ駆動回路８８の切り替え動作を説明するための回路図である。
【図２６】記録メディア挿入開始時のモータ駆動回路８８の切り替え動作を説明するための回路図である。
【図２７】記録メディア挿入途中のモータ駆動回路８８の切り替え動作を説明するための回路図である。
【符号の説明】
１０　記録メディア装置
１２　メインシャーシ
１４　前面ベゼル
１６　挿入口
１８　トレー
１８ａ　切欠き
１８ｂ，１８ｃ　左右側面
１８ｄ，１８ｅ　突部
２２　トレー搬送機構
２４　ブラケット
２６　トレー駆動モータ
２８　上シャーシ
３０　下シャーシ
３４　固定側コネクタ
３５　記録メディア
３５ａ　可動側コネクタ
３５ｂ，３５ｃ，３５ｄ，３５ｅ　掛止溝
３６　押圧アーム
３８　イジェクト操作スイッチ
３８ａ　可動接片
４２　エマジェンシー機構
４４　基板
５０　メディア収納部
５６，５７　突起
６０　ラック
６２　スライドバー
６６　ガイド溝
６８　第１の凹部
７０　突部
７２　第２の凹部
７４　ピニオン
７６ａ〜７６ｄ　ギヤ
７８　ガイドプレート
８０，８１　メディアガイド部材
８０ａ，８１ａ　規制部
８２　第１の検出スイッチ
８２ａ　可動接片
８４　モータ反転スイッチ
８４ａ，８４ｂ　可動接片
８６　第２の検出スイッチ
８６ａ　可動接片
８８　モータ駆動回路
７５　クラッチ部材
７７　第１のストッパ
７９　第２のストッパ
【図１】
2004030791.tif 000003
【図２】
2004030791.tif 000004
【図３】
2004030791.tif 000005
【図４】
2004030791.tif 000006
【図５】
2004030791.tif 000007
【図６】
2004030791.tif 000008
【図７】
2004030791.tif 000009
【図８】
2004030791.tif 000010
【図９】
2004030791.tif 000011
【図１０】
2004030791.tif 000012
【図１１】
2004030791.tif 000013
【図１２】
2004030791.tif 000014
【図１３】
2004030791.tif 000015
【図１４】
2004030791.tif 000016
【図１５】
2004030791.tif 000017
【図１６】
2004030791.tif 000018
【図１７】
2004030791.tif 000019
【図１８】
2004030791.tif 000020
【図１９】
2004030791.tif 000021
【図２０】
2004030791.tif 000022
【図２１】
2004030791.tif 000023
【図２２】
2004030791.tif 000024
【図２３】
2004030791.tif 000025
【図２４】
2004030791.tif 000026
【図２５】
2004030791.tif 000027
【図２６】
2004030791.tif 000028
【図２７】
2004030791.tif 000029